(57)【要約】【課題】  赤外線吸収波長が水蒸気と重複する測定ガスの濃度を精度良く検出でき、且つ、体格を小型化できる赤外線式ガス検出器及び検出方法を提供すること。【解決手段】  特定波長の赤外線を吸収し、赤外線吸収量に応じた検出信号を出力する検出部１０を備え、検出信号に基づいて、赤外線吸収波長が水蒸気と重複する測定ガスの濃度を検出する赤外線式ガス検出器１００において、測定ガスと共存し、赤外線を一部吸収する水蒸気の絶対湿度を検出する湿度検出部２０をさらに備え、処理部３０により、検出された絶対湿度に基づいて検出部１０の検出信号における水蒸気干渉分を補正し、真の測定ガスの濃度を検出する構成とした。【選択図】        図１
2005292009.tif 000002
【特許請求の範囲】
【請求項１】
特定波長の赤外線を吸収し、赤外線吸収量に応じた検出信号を出力する検出部を備え、
前記検出信号に基づいて、赤外線吸収波長が水蒸気と重複する測定ガスの濃度を検出する赤外線式ガス検出器において、
前記測定ガスと共存し、前記赤外線を一部吸収する前記水蒸気の絶対湿度を検出する湿度検出部をさらに備え、
検出された前記絶対湿度に基づいて前記検出信号を補正し、補正された前記検出信号に基づいて前記測定ガスの濃度を検出する構成としたことを特徴とする赤外線式ガス検出器。
【請求項２】
抵抗体を発熱させることにより赤外線を放射する光源部をさらに備えることを特徴とする請求項１に記載の赤外線式ガス検出器。
【請求項３】
前記測定ガス及び前記水蒸気のいずれの赤外線吸収波長とも重複しない所定波長の赤外線を吸収し、赤外線吸収量に応じた参照信号を出力する参照部をさらに備え、
前記参照信号に基づいて前記検出信号を補正し、補正された前記検出信号に基づいて前記測定ガスの濃度を検出する構成としたことを特徴とする請求項１に記載の赤外線式ガス検出器。
【請求項４】
同一の光源部から放射された赤外線を受光するように、前記検出部及び前記参照部が同一のパッケージ内に配置されていることを特徴とする請求項３に記載の赤外線式ガス検出器。
【請求項５】
特定波長の赤外線を吸収し、赤外線吸収量に応じた検出信号を出力する検出部を備え、
前記検出信号に基づいて測定ガスの濃度を検出する赤外線式ガス検出方法であって、
前記測定ガスと共存し、前記赤外線を一部吸収する前記水蒸気の絶対湿度を検出することにより、検出された前記絶対湿度に基づいて前記検出信号を補正し、補正された前記検出信号に基づいて前記測定ガスの濃度を検出することを特徴とする赤外線式ガス検出方法。
【請求項６】
前記測定ガス及び前記水蒸気のいずれの赤外線吸収波長とも重複しない所定波長の赤外線を検出することにより、その赤外線量に基づいて前記検出信号を補正し、補正された前記検出信号に基づいて前記測定ガスの濃度を検出することを特徴とする請求項５に記載の赤外線式ガス検出方法。
【発明の詳細な説明】
【技術分野】
【０００１】
本発明は、赤外線吸収波長が水蒸気と重複する測定ガスの濃度を検出する赤外線式ガス検出器及び検出方法に関するものである。
【背景技術】
【０００２】
従来、例えば特許文献１に開示されるように、特定波長の赤外線を吸収し、赤外線吸収量に応じた検出信号を出力する検出部（赤外線センサ）を備え、当該検出信号に基づいて測定ガスの濃度を検出する赤外線式ガス検出器が知られている。
【０００３】
この赤外線式ガス検出器（非分散型赤外吸収式ガス分析装置）は、測定ガス中の複数のガス成分に対応して、所定の赤外線透過波長領域が設定された複数の定性用光学フィルタを有している。そして、試料セル内の測定ガスに照射され、上述の定性用光学フィルタを透過した赤外線量を赤外線センサにより検出する構成としている。
【０００４】
例えば、ＣＯと水蒸気の共存下において、水蒸気濃度を検出する場合、ＣＯの干渉影響を受けないように赤外線透過波長領域が設定されたＨ2０定性用光学フィルタを赤外線の光路上に配置し、赤外線センサの出力から水蒸気の濃度を検出する。
【０００５】
また、ＣＯ濃度を検出する場合、ＣＯの吸光度が大きく、水蒸気の吸光度が比較的小さい赤外線透過波長領域が設定されたＣＯ定性用光学フィルタを赤外線の光路上に配置し、赤外線センサの出力から水蒸気の干渉分を含むＣＯ濃度を検出する。そして、水蒸気の干渉分を含むＣＯ濃度から上述の水蒸気濃度に基づく水蒸気の干渉分を補正してＣＯの濃度を算出する。このように、赤外線吸収波長が水蒸気と重複する測定ガスの濃度を検出することができる。
【特許文献１】特開２００３−５０２０３号公報
【発明の開示】
【発明が解決しようとする課題】
【０００６】
しかしながら、上記構成の場合、Ｈ2０定性用光学フィルタとＣＯ定性用光学フィルタを赤外線の光路上に切り換えて配置する必要がある。実際、特許文献１において、Ｈ2０定性用光学フィルタ及びＣＯ定性用光学フィルタは、切換装置としてのモータにより回転駆動される赤外断続チョッパ上に１８０度間隔で配置され、赤外断続チョッパを連続的に回転させて両フィルタの切換を行う構成としている。また、赤外断続チョッパの回転位置（どちらのフィルタが赤外線の光路上にあるか）を検出するために、位置認識センサが設けられている。従って、赤外線式ガス検出器の体格を小型化するのが困難である。
【０００７】
本発明は上記問題点に鑑み、赤外線吸収波長が水蒸気と重複する測定ガスの濃度を精度良く検出でき、且つ、体格を小型化できる赤外線式ガス検出器及び検出方法を提供することを目的とする。
【課題を解決するための手段】
【０００８】
上記目的を達成する為に請求項１に記載の発明は、特定波長の赤外線を吸収し、赤外線吸収量に応じた検出信号を出力する検出部を備え、検出信号に基づいて、赤外線吸収波長が水蒸気と重複する測定ガスの濃度を検出する赤外線式ガス検出器に関するものである。そして、測定ガスと共存し、赤外線を一部吸収する水蒸気の絶対湿度を検出する湿度検出部をさらに備え、検出された絶対湿度に基づいて検出信号を補正し、補正された検出信号に基づいて測定ガスの濃度を検出する構成としたことを特徴とする。
【０００９】
このように、本発明の赤外線式ガス検出器によると、湿度検出部によって絶対湿度を検出することができる。従って、絶対湿度が分かれば、所定の赤外線波長における水蒸気の赤外線吸収量が分かるので、水蒸気の干渉分を含む検出信号から水蒸気の干渉分を補正し、測定ガスの濃度を精度良く検出することができる。また、湿度検出部を新たに備えるものの、複数の定性用光学フィルタ、切換装置、及び位置認識センサが不要であるので、従来よりも体格を小型化することができる。
【００１０】
尚、湿度検出部としては、直接的に水蒸気の絶対湿度を検出するものだけでなく、間接的に水蒸気の絶対湿度を検出することができるものも適用することができる。例えば、相対湿度を検出する湿度センサや露点計等を温度センサとともに適用する構成としても良い。
【００１１】
尚、赤外線式ガス検出器は、抵抗体を発熱させることにより赤外線を放射する光源部を別個に備えても良いし、請求項２に記載のように一体に備えても良い。
【００１２】
請求項３に記載のように、測定ガス及び水蒸気のいずれの赤外線吸収波長とも重複しない所定波長の赤外線を吸収し、赤外線吸収量に応じた参照信号を出力する参照部をさらに備え、参照信号に基づいて検出信号を補正し、補正された検出信号に基づいて測定ガスの濃度を検出する構成としても良い。この場合、例えば光源部の劣化により、検出部が受光する赤外線量が低下しても、参照信号に基づいて検出信号を補正することにより、センサ感度の低下を防ぐことができる。
【００１３】
その際、赤外線を吸収する検出部と参照部とを異なるパッケージに配置した構成としても良いが、請求項４に記載のように、同一の光源部からの赤外線を受光するように、検出部及び参照部を同一のパッケージ内に配置した構成としても良い。この場合、光源部に対する赤外線式ガス検出器毎の検出部及び参照部の位置のばらつきを低減でき、一方だけ外部雰囲気等の影響を強く受けることはないので、参照信号に基づいて検出信号を精度よく補正することができる。また、赤外線式ガス検出器の体格を小型化できる。尚、上記光源部は赤外線式ガス検出器として一体化されていても良いし、別個に設けられていても良い。
【００１４】
請求項５又は請求項６に記載の赤外線式ガス検出方法の作用効果は、請求項１又は請求項３に記載の赤外線式ガス検出器の作用効果と同様であるので、その記載を省略する。
【発明を実施するための最良の形態】
【００１５】
以下、本発明の実施の形態を、図に基づいて説明する。
【００１６】
（第１の実施形態）
図１は、本実施形態における赤外線式ガス検出器の概略構成を示す図である。
【００１７】
図１に示すように、赤外線式ガス検出器１００は、特定波長の赤外線を検出する検出部１０と、測定ガスと共存し、上記赤外線を一部吸収する水蒸気の絶対湿度を検出する湿度検出部２０と、各検出部１０，２０からの信号を処理する処理部３０とにより構成される。
【００１８】
検出部１０は、基部となる台座１１と、台座１１に取り付けられるキャップ１２と、台座１１及びキャップ１２から構成される内部空間に配置された赤外線センサ１３とを備えている。
【００１９】
キャップ１２は、赤外線光源から放射される赤外線の透過波長、及び、赤外線センサ１３に対する入射領域を制限するものであり、入射窓部１２ａを除く部位は赤外線を遮蔽するように構成されている。この入射窓部１２ａは、赤外線センサ１３に対応する位置に設けられており、当該入射窓部１２ａには特定波長の赤外線（測定ガスの赤外線吸収波長帯に合わせた）のみを選択的に透過させるバンドパスフィルタ１２ｂが設置されている。
【００２０】
赤外線センサ１３は、台座１１上に例えば接着剤を介して固定されており、キャップ１２のバンドパスフィルタ１２ｂを透過する特定波長の赤外線のみを吸収し、その赤外線吸収量に応じた検出信号を後述する処理部３０に出力するように構成されている。尚、図１において、赤外線センサ１３は、ボンディングワイヤ１４を介して、台座１１に貫通しつつ固定された外部出力端子としてのターミナル１５に電気的に接続されており、赤外線センサ１３は処理部３０と電気的に接続されている。
【００２１】
ここで、赤外線センサ１３としては特に限定されるものではなく、例えばサーモパイル型、ボロメータ型、焦電型等を適用することができる。本実施形態においては、一般的な半導体プロセスで形成することができるサーモパイル型の赤外線センサ１３を適用している。尚、赤外線センサ１３の構成については、本発明の特徴部分ではなく、例えば本出願人が先に特開２００２−３６５１４０号広報等により開示しているので、本実施形態における詳細な説明は省略する。
【００２２】
湿度検出部２０は、測定ガスと共存する水蒸気による絶対湿度（単位体積（１ｍ3）の気体中に含まれる水蒸気の質量（ｇ））を検出するためのものであり、本実施形態においては赤外線センサ１３が固定されている台座１１の同一平面に固定されている。
【００２３】
湿度検出部２０としては、直接的に絶対湿度を検出する構成のものだけでなく、間接的に絶対湿度を検出する構成のものも適用することができる。例えば、相対湿度を検出する湿度センサや露点計等を温度センサとともに適用し、演算処理により絶対湿度を算出する構成のものでも良い。尚、図１において、湿度検出部２０は、ボンディングワイヤ２１を介して、台座１１に貫通しつつ固定された外部出力端子としてのターミナル２２に電気的に接続されており、赤外線センサ２０は処理部３０と電気的に接続されている。
【００２４】
処理部３０は、検出部１０を構成する赤外線センサ１３からの検出信号と、湿度検出部２０からの信号を受けて、所定の演算処理を実行し、水蒸気の干渉分を含む赤外線センサ１３の検出信号から水蒸気の干渉分を補正処理し、赤外線吸収波長が水蒸気と重複する測定ガスの濃度を算出する。尚、測定ガスの濃度検出の詳細については後述する。
【００２５】
次に、上記構成の赤外線式ガス検出器１００における測定ガスの濃度検出方法について、図２及び図３を用いて説明する。
【００２６】
通常、測定ガス（例えばＨＦＣ−１５２ａ）の濃度を検出する場合、当該測定ガスの赤外線吸収波長の少なくとも一部が水蒸気と重複し、赤外線の一部が水蒸気によっても吸収されるので、赤外線センサの出力は水蒸気の干渉分を含む出力となる。すなわち、このままでは測定ガスの濃度を精度よく検出することができない。
【００２７】
それを解決する方法として、例えば以下の方法が提案されている。測定ガスの干渉影響を受けないように赤外線透過波長領域が設定されたＨ2０定性用光学フィルタを赤外線の光路上に配置し、赤外線センサの出力から水蒸気の濃度を検出する。次に、測定ガスの吸光度が大きく、水蒸気の吸光度が比較的小さい赤外線透過波長領域が設定された測定ガス定性用光学フィルタを赤外線の光路上に配置し、赤外線センサの出力から水蒸気の干渉分を含む測定ガスの濃度を検出する。そして、水蒸気の干渉分を含む測定ガスの濃度から上述の水蒸気濃度に基づく水蒸気の干渉分を補正して測定ガスの濃度を算出する。
【００２８】
しかしながら、この方法の場合、複数のフィルタが必要である。また、Ｈ2０定性用光学フィルタと測定ガス定性用光学フィルタを赤外線センサに対する赤外線の光路上に切り換て配置するための切換装置が必要である。さらには、赤外線センサからの信号がどちらのフィルタを通過した際の信号なのかを判断するための位置認識装置が必要である。従って、赤外線式ガス検出器の体格を小型化するのが困難である。
【００２９】
それに対し、本実施形態における赤外線式ガス検出器１００は、赤外線センサ１３の検出信号から水蒸気の干渉分を補正するために、絶対湿度を検出する湿度検出部２０を有している。
【００３０】
ここで、絶対湿度と赤外線透過率（水蒸気による）との関係は、例えば久野治義著、“赤外線光学”、社団法人電子情報通信学会、平成１０年５月２０日発行、ｐ５８〜５９に記載されている。その一例を図２に示す。尚、図２において、赤外線の波長は３．３μｍである。
【００３１】
すなわち、湿度検出部２０により絶対湿度を検出することで、所定の赤外線波長における水蒸気の赤外線吸収率（赤外線透過率）を算出し、水蒸気の干渉分を含む赤外線センサ１３の検出信号から、水蒸気の干渉分を補正することができ、赤外線吸収波長が水蒸気と重複する測定ガスの濃度を精度良く検出することができる。
【００３２】
測定ガスの濃度の算出方法としては、例えば絶対湿度から求められる水蒸気の赤外線透過率（％）をｘ、赤外線センサ１３にて検出された水蒸気の干渉分を含む検出信号（センサ出力）をｙとすると、測定ガスのセンサ出力を下記式で示すことができる。
（式１）測定ガスのセンサ出力（％）＝ｙ×１００／ｘ
尚、図３において数式１の関係を示している。図３において、ハッチング部分が水蒸気による干渉分（１００−ｘ）を、破線が赤外線センサ１３にて検出された水蒸気の干渉分を含むセンサ出力ｙを、実線が水蒸気の干渉分を補正した測定ガスのセンサ出力を示している。
【００３３】
本実施形態においては、湿度検出部２０からの絶対湿度信号を受けた処理部３０としての回路チップが、絶対湿度から水蒸気の赤外線透過率ｘを算出し、上記数式１の演算を実行して、測定ガスのセンサ出力を外部に出力する構成としている。
【００３４】
このように、本実施形態における赤外線式ガス検出器１００及び赤外線式ガス検出方法によると、湿度検出部２０により絶対湿度を検出することができるので、水蒸気の干渉分を含む赤外線センサ１３の検出信号から水蒸気の干渉分を補正することができる。すなわち、赤外線吸収波長が水蒸気と重複する測定ガスの濃度を精度良く検出することができる。
【００３５】
また、湿度検出部２０を新たに備えるものの、上述のように複数の定性用光学フィルタ、切換装置、及び位置認識装置が不要であるので、従来よりも体格を小型化することができる。
【００３６】
以上本発明の好ましい実施形態について説明したが、本発明は上述の実施形態のみに限定されず、種々変更して実施する事ができる。
【００３７】
本実施形態においては図示していないが、処理部３０とは別個に、赤外線センサ１３及び／又は湿度検出部２０に信号処理用の回路チップを配置した構成としても良い。
【００３８】
また、本実施形態においては、赤外線センサ１３（検出部１０）の検出信号を湿度検出部２０により検出した絶対湿度に基づいて補正する例を示した。しかしながら、赤外線式ガス検出器１００が、さらに測定ガス及び水蒸気のいずれの赤外線吸収波長とも重複しない所定波長の赤外線を吸収し、赤外線吸収量に応じた参照信号を出力する参照部を備え、参照信号に基づいて赤外線センサ１３の検出信号をさらに補正する構成としても良い。
【００３９】
参照部を備える赤外線式ガス検出器１００の構成例を図４に示す。図４において、参照部４０は検出部１０と一体に構成されており、検出部１０を構成する台座１１とキャップ１２からなる内部空間に、受光した赤外線量に応じた検出信号（参照信号）を出力する参照用赤外線センサ４１が、赤外線センサ１３と並んで配置されている。また、キャップ１２には、参照用赤外線センサ４１に対応する位置に参照用入射窓部１２ｃが設けられ、当該参照用入射窓部１２ｃに、特定波長の赤外線（測定ガス及び水蒸気のいずれの赤外線吸収波長とも重複しない）のみを選択的に透過させる参照用バンドパスフィルタ１２ｄが設置されている。さらに、キャップ１２には、各バンドパスフィルタ１２ｂ，１２ｄを透過した赤外線が、対応しない赤外線センサ１３，４１側へ入射するのを防ぐために、上部から台座１１側に向けて伸延する隔壁１２ｅが設けられている。そして、参照用赤外線センサ４１が、台座１１上に例えば接着剤を介して固定されており、キャップ１２の参照用バンドパスフィルタ１２ｄを透過する特定波長の赤外線のみを吸収し、その赤外線吸収量に応じた参照信号を処理部３０に出力するように構成されている。
【００４０】
このように、参照部４０から出力される参照信号は測定ガス及び水蒸気の影響を受けない。従って、参照部４０が出力する初期の参照信号（赤外線受光量にもとづく参照用赤外線センサ４１のセンサ出力）を基準出力とし、赤外線光源の劣化により低下した参照信号を乗算して基準出力に補正する際の係数を用いて、検出部１０の検出信号を補正する。これにより、同一の赤外線光源の劣化により検出部１０が受光する赤外線量が低下しても、センサ感度の低下を防ぐことができる。
【００４１】
また、図４に示すように、検出部１０及び参照部４０を同一のキャップ１２内に配置した構成とすると、赤外線光源に対する赤外線式ガス検出器１００毎の検出部１０及び参照部４０の位置のばらつきを低減できる。また、検出部１０及び参照部４０のいずれか一方だけ外部雰囲気（温度等）の影響を強く受けることはないので、参照信号に基づいて検出信号を精度よく補正することができる。さらには、赤外線式ガス検出器１００の体格を小型化できる。しかしながら、参照部４０は、上記図４の構成に限定されるものではない。例えば、赤外線センサ１３と参照用赤外線センサ４１が同一基板を用いて形成されても良い。また、異なる内部空間（異なるキャップ１２と台座１１からなる）に赤外線センサ１３と参照用赤外線センサ４１がそれぞれ配置されても良い。
【００４２】
また、本実施形態においては、赤外線式ガス検出器１００が通電することにより抵抗体を発熱させて赤外線を放射する光源部（赤外線光源）を一体に有していない例を示した。しかしながら、光源部を一体に備える構成としても良い。
【００４３】
また、本実施形態において、湿度検出部２０は、赤外線センサ１３と同一の台座１１に固定されている例を示した。しかしながら、湿度検出部２０の配置は本実施形態に限定されるものではない。
【図面の簡単な説明】
【００４４】
【図１】本発明の第１の実施形態における赤外線式ガス検出器の概略構成を示す図である。
【図２】絶対湿度と赤外線透過率との関係を示す図である。
【図３】測定ガスの濃度検出方法を説明するための図である。
【図４】赤外線式ガス検出器の変形例を示す概略構成図である。
【符号の説明】
【００４５】
１０・・・検出部
１１・・・台座
１２・・・キャップ
１２ｂ・・・バンドパスフィルタ
１３・・・赤外線センサ
２０・・・湿度検出部
３０・・・処理部（回路チップ）
４０・・・参照部
４１・・・参照用赤外線センサ
１００・・・赤外線式ガス検出器
【図１】
2005292009.tif 000003
【図２】
2005292009.tif 000004
【図３】
2005292009.tif 000005
【図４】
2005292009.tif 000006